(57)【要約】【課題】  帯鋸刃の歯部が帯鋸盤装置本体に干渉せずに容易に装着できるダブルポスト式横型帯鋸盤における帯鋸刃装着補助装置および同装置を使用した帯鋸刃装着方法の提供。【解決手段】  鋸刃ハウジングの後方を水平面に対して約４５度上方に傾斜させた鋸刃ハウジングを一対のガイドポストに沿って上下方向に昇降自在に設けたダブルポスト式横型帯鋸盤1における帯鋸刃装着補助装置30にして、環状の帯鋸刃33を駆動ホイール17と従動ホイール21とに装着する時において該環状の帯鋸刃の下側走行部23Lの中間領域を前記駆動ホイールと従動ホイールの外周部へガイドする帯鋸刃ガイド手段31を前記横型帯鋸盤の前側に設けたことを特徴とするダブルポスト式横型帯鋸盤における帯鋸刃装着補助装置。【選択図】    図４
2005329472.tif 000002
【特許請求の範囲】
【請求項１】
鋸刃ハウジングの後方を水平面に対して約４５度上方に傾斜させた鋸刃ハウジングを一対のガイドポストに沿って上下方向に昇降自在に設けると共に、該鋸刃ハウジングに回転駆動自在に軸支された駆動ホイールと従動ホイールとに適宜な張力で掛け回されて回転走行する環状の帯鋸刃を備えると共に、前記駆動ホイールと従動ホイールとの間を走行する前記環状の帯鋸刃の上側走行部における水平走行部の歯部を下方に位置させるべく該帯鋸刃を垂直方向に捻り起こしてガイドする一対の鋸刃ガイドを前記鋸刃ハウジングに備えた横型帯鋸盤における帯鋸刃装着補助装置にして、前記環状の帯鋸刃を前記駆動ホイールと従動ホイールとに装着する時において該環状の帯鋸刃の下側走行部の中間領域を前記駆動ホイールと従動ホイールの外周部へガイドする帯鋸刃ガイド手段を前記横型帯鋸盤の前側に設けたことを特徴とするダブルポスト式横型帯鋸盤における帯鋸刃装着補助装置。
【請求項２】
請求項１に記載の横型帯鋸盤における帯鋸刃装着補助装置において、前記帯鋸刃ガイド手段は、前記横型帯鋸盤の前側に設けた製品受台の両側に上部帯鋸刃ガイドを設けると共に、該上部帯鋸刃ガイドに対向する下部帯鋸刃ガイドを前記横型帯鋸盤の基台に設け、前記上部帯鋸刃ガイドと下部帯鋸刃ガイドとの間に前記帯鋸刃の下側走行部の中間領域が通過可能なスリットを形成してなることを特徴とするダブルポスト式横型帯鋸盤における帯鋸刃装着補助装置。
【請求項３】
鋸刃ハウジングの後方を水平面に対して約４５度上方に傾斜させた鋸刃ハウジングを一対のガイドポストに沿って上下方向に昇降自在に設けると共に、該鋸刃ハウジングに回転駆動自在に軸支された駆動ホイールと従動ホイールとに適宜な張力で掛け回されて回転走行する環状の帯鋸刃を備えると共に、前記駆動ホイールと従動ホイールとの間を走行する前記環状の帯鋸刃の上側走行部における水平走行部の歯部を下方に位置させるべく垂直方向に捻り起こしてガイドする一対の鋸刃ガイドを前記鋸刃ハウジングに備えると共に、前記環状の帯鋸刃を前記駆動ホイールと従動ホイールとに装着する時において該環状の帯鋸刃の下側走行部の中間領域を前記駆動ホイールと従動ホイールの外周部へガイドするスリットを備えた帯鋸刃ガイドを前記横型帯鋸盤の前側に設けたダブルポスト式横型帯鋸盤における帯鋸刃装着方法にして、次の工程によって帯鋸刃を装着することを特徴とする帯鋸刃装着方法;
１．前記鋸刃ガイドを被切断材の幅に合わせて適宜な間隔に調整する工程、
２．前記環状の帯鋸刃を前記ガイドポストの上方から挿入する工程、
３．該環状の帯鋸刃の上側走行部を前記鋸刃ガイドに挿入して固定する工程、
４．該環状の帯鋸刃の下側走行部を前記帯鋸刃ガイドのスリットを介して挿入して該環状の帯鋸刃の下側走行部を前記駆動ホイールと従動ホイールの外周部へ装着する工程、
５．装着した帯鋸刃に張力付与手段により適宜な張力を付与する工程。
【発明の詳細な説明】
【技術分野】
【０００１】
本発明はダブルポスト式横型帯鋸盤における帯鋸刃装着補助装置および同装置を使用した帯鋸刃装着方法に関する。
【背景技術】
【０００２】
従来、帯鋸刃自動交換装置のついた機械もあるが横型帯鋸盤における帯鋸刃交換は作業者の手によって行うのがが一般的である。作業者の手による交換作業には次のような方法で行われている。
【０００３】
鋸刃ガイドの鋸刃インサートに帯鋸刃の上側走行部分を挿入固定してから、帯鋸刃の残りの部分を駆動ホイールと従動ホイールとに装着する。なお、帯鋸刃を取り外す場合は前述の手順を逆に行う。
【発明の開示】
【発明が解決しようとする課題】
【０００４】
上述の従来の帯鋸刃の装着方法においては以下のような問題がある。
【０００５】
上側走行部分以外の残りの部分を駆動ホイールと従動ホイールとに装着する時に、環状の帯鋸刃は剛性が小さいため方向が定まらず、駆動ホイールおよび従動ホイールに装着するのが難しい。また、帯鋸刃の方向が定まらないので、帯鋸盤装置本体に帯鋸刃の歯部が当接して歯部を損傷したり、装置本体に傷をつけたりするという問題がある。
【０００６】
本発明は上述の如き問題を解決するためになされたものであり、本発明の課題は、環状の帯鋸刃を用いたダブルポスト式横型帯鋸盤において、作業者が駆動ホイールと従動ホイールとに帯鋸刃を装着する場合に、帯鋸刃の歯部が帯鋸盤装置本体に干渉せずに容易に装着できるダブルポスト式横型帯鋸盤における帯鋸刃装着補助装置および同装置を使用した帯鋸刃装着方法を提供することである。
【課題を解決するための手段】
【０００７】
上述の課題を解決する手段として請求項１に記載のダブルポスト式横型帯鋸盤における帯鋸刃装着補助装置は、鋸刃ハウジングの後方を水平面に対して約４５度上方に傾斜させた鋸刃ハウジングを一対のガイドポストに沿って上下方向に昇降自在に設けると共に、該鋸刃ハウジングに回転駆動自在に軸支された駆動ホイールと従動ホイールとに適宜な張力で掛け回されて回転走行する環状の帯鋸刃を備えると共に、前記駆動ホイールと従動ホイールとの間を走行する前記環状の帯鋸刃の上側走行部における水平走行部の歯部を下方に位置させるべく該帯鋸刃を垂直方向に捻り起こしてガイドする一対の鋸刃ガイドを前記鋸刃ハウジングに備えた横型帯鋸盤における帯鋸刃装着補助装置にして、前記環状の帯鋸刃を前記駆動ホイールと従動ホイールとに装着する時において該環状の帯鋸刃の下側走行部の中間領域を前記駆動ホイールと従動ホイールの外周部へガイドする帯鋸刃ガイドを前記横型帯鋸盤の前側に設けたことを要旨とするものである。
【０００８】
請求項２に記載のダブルポスト式横型帯鋸盤における帯鋸刃装着補助装置は、請求項１に記載の横型帯鋸盤における帯鋸刃装着補助装置において、前記帯鋸刃ガイドは、前記横型帯鋸盤の前側に設けた製品受台の両側に上部帯鋸刃ガイドを設けると共に、該上部帯鋸刃ガイドに対向する下部帯鋸刃ガイドを前記横型帯鋸盤の基台に設け、前記上部帯鋸刃ガイドと下部帯鋸刃ガイドとの間に前記帯鋸刃の下側走行部の中間領域が通過可能なスリットを形成してなることを要旨とするものである。
【０００９】
請求項３に記載のダブルポスト式横型帯鋸盤における帯鋸刃装着方法は、鋸刃ハウジングの後方を水平面に対して約４５度上方に傾斜させた鋸刃ハウジングを一対のガイドポストに沿って上下方向に昇降自在に設けると共に、該鋸刃ハウジングに回転駆動自在に軸支された駆動ホイールと従動ホイールとに適宜な張力で掛け回されて回転走行する環状の帯鋸刃を備えると共に、前記駆動ホイールと従動ホイールとの間を走行する前記環状の帯鋸刃の上側走行部における水平走行部の歯部を下方に位置させるべく垂直方向に捻り起こしてガイドする一対の鋸刃ガイドを前記鋸刃ハウジングに備えると共に、前記環状の帯鋸刃を前記駆動ホイールと従動ホイールとに装着する時において該環状の帯鋸刃の下側走行部の中間領域を前記駆動ホイールと従動ホイールの外周部へガイドするスリットを備えた帯鋸刃ガイドを前記横型帯鋸盤の前側に設けたダブルポスト式横型帯鋸盤における帯鋸刃装着方法にして、次の工程によって帯鋸刃を装着することを要旨とするものである;
１．前記鋸刃ガイドを被切断材の幅に合わせて適宜な間隔に調整する工程、
２．前記環状の帯鋸刃を前記ガイドポストの上方から挿入する工程、
３．該環状の帯鋸刃の上側走行部を前記鋸刃ガイドに挿入して固定する工程、
４．該環状の帯鋸刃の下側走行部を前記帯鋸刃ガイドのスリットを介して挿入して該環状の帯鋸刃の下側走行部を前記駆動ホイールと従動ホイールの外周部へ装着する工程、
５．装着した帯鋸刃に張力付与手段により適宜な張力を付与する工程。
【発明の効果】
【００１０】
請求項１〜請求項３の発明によれば、特別な帯鋸刃自動交換装を必要とせず、作業者が一人で容易にかつ安全に帯鋸刃を装着することができる。
【００１１】
すなわち、上側走行部分以外の残りの部分を駆動ホイールと従動ホイールとに装着する時に、帯鋸刃ガイド手段のスリットを介して挿入するので環状の帯鋸刃の下側走行部の方向が定まり、容易に駆動ホイールと従動ホイールの外周部に装着することができる。
【００１２】
また、帯鋸刃の方向が定まらないために、帯鋸盤装置本体に帯鋸刃の歯部が当接して歯部を損傷したり、装置本体に傷をつけたりすることがない。
【発明を実施するための最良の形態】
【００１３】
以下、本発明の実施の形態を図面によって説明する。
【００１４】
図１〜図５には本発明に係る帯鋸刃装着補助装置を備えたダブルポスト式横型帯鋸盤１が示してある。横型帯鋸盤１は箱状のベースフレーム３を備えており、このベースフレーム３の上面には、横型帯鋸盤１の後方（図１において紙面の裏面側、図３においては左側）には、被切断材Ｗを横型帯鋸盤１へ搬入するための被切断材搬入台４が設けてあり、横型帯鋸盤１の前側（図１において紙面の表面側、図３においては右側）には、この横型帯鋸盤１で切断された製品Ｗを支持する製品受台６が設けてある。
【００１５】
被切断材搬入台４には、被切断材Ｗを挟持固定自在の固定バイスジョウー５Ｆと可動バイスジョー５Ｍとを対向して備えたバイス装置（5F,5M）が設けてある。このバイス装置５の構成は一般的な構成であって公知であるから、バイス装置（5F,5M）の詳細についての説明は省略する。
【００１６】
前記ベースフレーム３には左右一対のガイドポスト７Ｌ、７Ｒが立設してあり、このガイドポスト７Ｌ、７Ｒの上端部側は、強度向上、及びガイドポスト７Ｌ、７Ｒの平行度維持を図るべく連結部材９を介して一体的に連結してある。
【００１７】
前記左右のガイドポスト７Ｌ、７Ｒには円筒形状のスライドスリーブ１１Ｌ、１１Ｒが上下動自在に嵌合してあり、この左右のスライドスリーブ１１Ｌ、１１Ｒのそれぞれ左右外側部には、左右のホイールブラケット１３Ｌ、１３Ｒがそれぞれ溶接等によって一体的に固定してある。
【００１８】
上記左右のホイールブラケット１３Ｌ、１３Ｒは、上部側が後側となるように（図 1 において上部側が裏面側となるように）傾斜してある。そして、前記スライドスリーブ１１Ｌ、１１Ｒの下部側及び左右のホイールブラケット１３Ｌ、１３Ｒの下部側は、左右方向に長いビーム部材１４で一体的に連結しである。
【００１９】
このビーム部材１４や左右のホイールブラケット１３Ｌ、１３Ｒは、後述する駆動ホイール、従動ホイールを回転自在に支持する鋸刃ハウジングを構成するものであり、上側を開口したＣ型形状に構成してあり、高さ寸法を抑制することができるものである。
【００２０】
前記ホイールブラケット１３Ｒは、図４に示すように、上部ブラケット１３Ａと下部ブラケット１３Ｂとを備えた二重構造に構成してあり、上記上下のブラケット１３Ａ、１３Ｂに両端側を支持された回転軸１５を介して上下のブラケット１３Ａ、１３Ｂの間に駆動ホイール１７が回転自在に支持されている。
【００２１】
なお、上記駆動ホイール１７は、前記ホイールブラケット１３Ｒに装着したモータＭ（図２、４、５参照）によって回転駆動されるものである。
【００２２】
左側の前記ホイールブラケット１３Ｌには回転軸１９を介して従動ホイール２１が回転自在に支持されており、この従動ホイール２１と前記駆動ホイール１７には帯鋸刃２３が掛回してある。さらに、前記駆動ホイール１７に対して接近離反する方向へ前記従動ホイール２１を移動して前記帯鋸刃２３に張力を付与するための張力付与手段（図示省略）が前記ホイールブラケット１３Ｌに装着してある。
【００２３】
上記張力付与手段（図示省略）は、前記回転軸１９を支持した支持ブロック（図示省略）を前記駆動ホイール１７に対して接近離反する方向へ移動することによって帯鋸刃２３に張力を付与するもので、例えば油圧シリンダやネジ機構などよりなるものであり、この種の張力付与手段は公知であるから、張力付与手段についてより詳細な説明は省略する。また、前記鋸刃ハウジングを上下動するために、例えば油圧シリンダのごとき上下動用アクチュエータ（図示省略）が設けてある。
【００２４】
前記駆動ホイール１７及び従動ホイール２１は、図３および図４に良く示されているように、左右方向の側方から見たとき駆動ホイール１７、従動ホイール２１の上部側が前記ガイドポスト７Ｌ、７Ｒより後側（図４においては右側）に位置し、前記駆動ホイール１７、従動ホイール２１の下部側が前記ガイドポスト７Ｌ、７Ｒの前側（図４においては左側）に位置するように前後に傾斜してある。
【００２５】
したがって、前記駆動ホイール１７と従動ホイール２１とに掛回した前記帯鋸刃２３における直線状の上側走行部２３Ｕは前記一対のガイドポスト７Ｌ、７Ｒの後側に位置し、帯鋸刃２３の直線状の下側走行部２３Ｌは前記ガイドポスト７Ｌ、７Ｒの前側に位置している。  
そして、前記上側走行部２３Ｕによって前記被切断材Ｗを切断するために、前記上側走行部２３Ｕにおける鋸歯の歯先が垂直下方向を指向するように捻り起すための移動鋸刃ガイド２４と、固定鋸刃ガイド２６が前記鋸刃ハウジングに備えられている（図５参照）。
【００２６】
また、帯鋸刃２３の前記下側走行部２３Ｌは、前記鋸刃ハウジングが最上昇した場合であっても前記バイス装置５の被切断材支持面より下側に位置するようになっている。
【００２７】
以上のごとき構成において、駆動ホイール１７を回転駆動し、かつ鋸刃ハウジングを下降することにより、バイス装置５に挟持固定されたワークＷを、走行部２３Ｕによって切断することができるものである。
【００２８】
なお、図１、図５に良く示されているように、前記帯鋸刃２３の上側走行部２３Ｕの上方空間には、前記鋸刃ハウジングのの上下動に追従して昇降されるキャリッジバー２７が前記上側走行部２３Ｕに平行かつ水平方向に延設して設けてあり、このこのキャリッジバー２７には、前記帯鋸刃２３の上側走行部２３Ｕが被切断材Ｗの近傍に接近したことを検出するための板状の検出子２９が設けてある。
【００２９】
以下に本発明の要部である帯鋸刃装着補助装置３０について説明する。
【００３０】
図１〜図４に示す如く、横型帯鋸盤１の前側に設けられた製品受台６の両脇には、前記環状の帯鋸刃を前記駆動ホイールと従動ホイールとに装着する時においてこの環状の帯鋸刃２３の下側走行部２３Ｌのほぼ中間領域を前記駆動ホイールと従動ホイールの外周部へガイドする帯鋸刃ガイド手段３１が設けてある。
【００３１】
さらに詳細には、この帯鋸刃ガイド手段３１は、前記横型帯鋸盤１の前側に設けた製品受台６の両側に上部帯鋸刃ガイド３３を設けると共に、この上部帯鋸刃ガイド３３に対向する下部帯鋸刃ガイド３５を前記横型帯鋸盤１の基台３に設けてあり、上部帯鋸刃ガイド３３と下部帯鋸刃ガイド３５との間に帯鋸刃３３の下側走行部３３Ｌのほぼ中間領域が通過可能な帯鋸刃の板厚より若干広い幅を有するスリット３７が形成してある。
【００３２】
上記構成における横型帯鋸盤における帯鋸刃交換補助装置を使用して、作業者ＯＰが帯鋸刃２３を交換する工程を説明する。
【００３３】
１．始めに前記鋸刃ガイドを被切断材の幅に合わせて適宜な間隔に調整する。
【００３４】
２．次いで、前記環状の帯鋸刃を前記ガイドポストの上方から挿入する（図６参照）。
【００３５】
３．この環状の帯鋸刃の上側走行部を前記鋸刃ガイドに挿入して固定する（図７参照）。
【００３６】
４．環状の帯鋸刃の下側走行部を前記帯鋸刃ガイドのスリットを介して挿入して前記駆動ホイールと従動ホイールの外周部へ装着する（図８、図９参照）。
【００３７】
５．最後に装着した帯鋸刃に張力付与手段により適宜な張力を付与して装着が完了する。
【００３８】
なお、帯鋸刃を取り外すときは上記工程の順序を逆に行うことで容易に行うことができる。
【００３９】
上述の如く、本発明に係る帯鋸刃装着補助装置を使用すれば、特別な帯鋸刃自動交換装を必要とせず、作業者が一人で容易にかつ安全に帯鋸刃を交換することができる。
【００４０】
すなわち、上側走行部分以外の残りの部分を駆動ホイールと従動ホイールとに装着する時に、帯鋸刃ガイド手段のスリットを介して挿入するので環状の帯鋸刃の下側走行部２３Ｌの方向が定まり、容易に駆動ホイールと従動ホイールの外周部に装着することができる。
【００４１】
また、帯鋸刃の方向が定まらないために、帯鋸盤装置本体に帯鋸刃の歯部が当接して歯部を損傷したり、装置本体に傷をつけたりすることがない。
【００４２】
なお、実施例の図１、図４及び図５に総括的な符号４０で示してあるのは回転駆動されるワイヤーブラシを備えた切粉除去装置４０であるが、本発明の主要部ではないので詳細な説明は省略する。
【図面の簡単な説明】
【００４３】
【図１】本発明の実施の形態に係る帯鋸刃装着補助装置を備えたダブルポスト式横型帯鋸盤を正面から見た説明図である。
【図２】図１の平面図による説明図である。
【図３】図１の左側面図による説明図である。
【図４】図１の右側面図による説明図である。
【図５】図１の背面図による説明図である。
【図６】本発明に係る帯鋸刃装着補助装置を備えたダブルポスト式横型帯鋸盤のガイドポストの上方から帯鋸刃を挿入する状態を説明する図。
【図７】本発明に係る帯鋸刃装着補助装置を備えたダブルポスト式横型帯鋸盤の鋸刃ガイドに帯鋸刃の上側走行部を挿入して固定する状態を説明する図。
【図８】本発明に係る帯鋸刃装着補助装置を備えたダブルポスト式横型帯鋸盤の帯鋸刃ガイドのスリットを介して帯鋸刃の下側走行部を駆動ホイールと従動ホイールの外周部へ装着する状態を説明する図。
【図９】本発明に係る帯鋸刃装着補助装置を備えたダブルポスト式横型帯鋸盤の帯鋸刃ガイドのスリットを介して帯鋸刃の下側走行部を駆動ホイールと従動ホイールの外周部へ装着する状態を説明する図。
【符号の説明】
【００４４】
１  横型帯鋸盤
３  ベースフレーム
４  被切断材搬入台
５Ｆ  固定バイスジョウー
５Ｍ  可動バイスジョー
６  製品受台
７Ｌ、７Ｒ  ガイドポスト
９  連結部材
１１Ｌ、１１Ｒ  スライドスリーブ
１３Ｌ、１３Ｒ  ホイールブラケット
１３Ａ  上部ブラケット
１３Ｂ  下部ブラケット
１４  ビーム部材
１５  回転軸
１７  駆動ホイール
１９  回転軸
２１  従動ホイール
２３  帯鋸刃
２３Ｕ  上側走行部
２３Ｌ  下側走行部
２４  移動鋸刃ガイド
２６  固定鋸刃ガイド
２７  キャリッジバー
２９  検出子
３０  帯鋸刃装着補助装置
３１  帯鋸刃ガイド手段
３３  上部帯鋸刃ガイド
３５  下部帯鋸刃ガイド
３７  スリット
４０  切粉除去装置
Ｗ  被切断材
【図１】
2005329472.tif 000003
【図２】
2005329472.tif 000004
【図３】
2005329472.tif 000005
【図４】
2005329472.tif 000006
【図５】
2005329472.tif 000007
【図６】
2005329472.tif 000008
【図７】
2005329472.tif 000009
【図８】
2005329472.tif 000010
【図９】
2005329472.tif 000011